(57)【特許請求の範囲】
【請求項１】
先端に吐出口を設けた液体供給路の中途に連通路を介して洗浄剤収納タンクを連通連結し、液体供給路を流れる液体の動圧によって生じる負圧により、洗浄剤収納タンクから洗浄剤を液体と混合希釈して前記吐出口から洗浄剤が混入された液体を噴出可能とした洗浄装置であって、
液体供給路内に滞留した液体を排出する排出手段を設けるとともに、前記連通路に電磁開閉弁を取付け、少なくとも前記排出手段が駆動するときには、前記電磁開閉弁は閉止状態であるようにしたことを特徴とする洗浄装置。
【請求項２】
液体供給路の中途から分岐し、先端に第１の吐出口を設けた第１分岐流路と、先端にその他の吐出口を設けた第２分岐流路とを形成するとともに、第１分岐流路の中途に連通路を介して洗浄剤収納タンクを連通連結し、排出手段は、両分岐流路内の滞留液体を排出可能とし、しかも、同排出手段を駆動すると、第１の吐出口とその他の吐出口とから略同時に液体を排出するようにしたことを特徴とする請求項１記載の洗浄装置。
【請求項３】
排出手段は、定期的に自動駆動することを特徴とする請求項1又は２に記載の洗浄装置。
【請求項４】
排出手段が駆動すると、第１の吐出口よりも先にその他の吐出口から滞留液体が排出されることを特徴とする請求項２又は３に記載の洗浄装置。
【請求項５】
排出手段は、少なくとも電磁開閉弁を含むことを特徴とする請求項1〜４のいずれか１項に記載の洗浄装置。
【請求項６】
第１の吐出口及びその他の吐出口は、ボウル部に配設されていることを特徴とする請求項２〜５のいずれか１項に記載の洗浄装置。
【請求項７】
第１の吐出口として、うがい用ノズルを具備し、その他の吐出口として、手洗い用ノズル及び／又はボウル部内面を洗浄するボウル洗浄用ノズルを具備することを特徴とする請求項２〜６のいずれか１項に記載の洗浄装置。
【発明の詳細な説明】
【０００１】
【発明の属する技術分野】
この発明は、洗浄装置に関するものであり、詳しくは、うがい用ノズルや手洗い用ノズルなどをボウル部に取付けて、いつでもうがいや手、指などの洗浄を行うことのできる洗浄装置に関するものである。
【０００２】
【従来の技術】
従来、壁面に取付け可能なボウルに、石鹸液を供給する石鹸液ノズル、手洗い用ノズル（蛇口）などを設けた手洗い器があった。
【０００３】
また、近年の衛生面への関心の高まりとともに、さらに消毒液噴出ノズルを設けた手洗い器も提案されている。
【０００４】
これらの手洗い器は、病院や食品工場など、より厳格な衛生管理が必要な場所に好適に設置されている。
【０００５】
【発明が解決しようとする課題】
ところが、近年では、上記した衛生管理の厳しい場所においては、手、指の消毒のみならず、うがいの励行も求められてきて、うがい器の設置も広く推進されてきている。
【０００６】
しかし、手洗い器とうがい器とを、別々に設置するのは、広い設置スペースが必要であり、また、うがいと手洗いとを一連の動作で行うにはきわめて不便である。
【０００７】
そこで、手洗い器にうがい機能、すなわちうがい用ノズルを併設することが考えられるが、単に、うがい用ノズルを設置するだけでは、うがい後のボウル面が汚れてしまうので洗浄機能が望まれる。
【０００８】
また、うがい用ノズルや、それに連通する流路内に滞留液があると、衛生面から好ましくないので、滞留液を定期的に捨てる機能も望まれる。
【０００９】
しかし、従来の手洗い器においては、かかる機能を有するうがい用ノズル付きの手洗い装置はなかった。
【００１０】
本発明は、上記課題を解決することのできる洗浄装置を提供することを目的としている。
【００１１】
【課題を解決するための手段】
上記課題を解決するために、請求項１記載の本発明では、先端に吐出口を設けた液体供給路の中途に連通路を介して洗浄剤収納タンクを連通連結し、液体供給路を流れる液体の動圧によって生じる負圧により、洗浄剤収納タンクから洗浄剤を液体と混合希釈して前記吐出口から洗浄剤が混入された液体を噴出可能とした洗浄装置であって、液体供給路内に滞留した液体を排出する排出手段を設けるとともに、前記連通路に電磁開閉弁を取付け、少なくとも前記排出手段が駆動するときには、前記電磁開閉弁は閉止状態であるようにした。
【００１２】
また、請求項２記載の本発明では、上記液体供給路の中途から分岐し、先端に第１の吐出口を設けた第１分岐流路と、先端にその他の吐出口を設けた第２分岐流路とを形成するとともに、第１分岐流路の中途に連通路を介して洗浄剤収納タンクを連通連結し、排出手段は、両分岐流路内の滞留液体を排出可能とし、しかも、同排出手段を駆動すると、第１の吐出口とその他の吐出口とから略同時に液体を排出するようにした。
【００１３】
また、請求項３記載の本発明では、上記排出手段は、定期的に自動駆動することとした。
【００１４】
また、請求項４記載の本発明では、上記排出手段が駆動すると、第１の吐出口よりも先にその他の吐出口から滞留液体が排出されることとした。
【００１５】
また、請求項５記載の本発明では、上記排出手段は、少なくとも電磁開閉弁を含むこととした。
【００１６】
また、請求項６記載の本発明では、上記第１の吐出口及びその他の吐出口は、ボウル部に配設されていることとした。
【００１７】
さらに、請求項７記載の本発明では、上記第１の吐出口として、うがい用ノズルを具備し、その他の吐出口として、手洗い用ノズル及び／又はボウル部内面を洗浄するボウル洗浄用ノズルを具備することとした。
【００１８】
【発明の実施の形態】
本発明は、先端に吐出口を設けた液体供給路の中途に連通路を介して洗浄剤収納タンクを連通連結し、液体供給路を流れる液体の動圧によって生じる負圧により、洗浄剤収納タンクから洗浄剤を液体と混合希釈して前記吐出口から洗浄剤が混入された液体を噴出可能とした洗浄装置であって、液体供給路内に滞留した液体を排出する排出手段を設けるとともに、前記連通路に電磁開閉弁を取付け、少なくとも前記排出手段が駆動するときには、前記電磁開閉弁は閉止状態であるようにしたものである。
【００１９】
上記液体供給路は、その中途から分岐させて、先端に第１の吐出口を設けた第１分岐流路と、先端にその他の吐出口を設けた第２分岐流路とを形成するとともに、第１分岐流路の中途に上記した連通路を介して洗浄剤収納タンクを連通連結した構成とすることができる。
【００２０】
さらに、排出手段は、両分岐流路内の滞留液体を排出可能とし、しかも、同排出手段を駆動すると、第１の吐出口とその他の吐出口とから略同時に液体を排出するように構成することが望ましい。
【００２１】
上記第１の吐出口としては、うがい用ノズルを具備し、その他の吐出口としては、手洗い用ノズルやボウル部内面を洗浄するボウル洗浄用ノズルとすることができる。これらは、例えば上水道を共通の水源とすることができ、共通の液体供給路としての水道管から分岐させた分岐流路の先端に各ノズルを取付けることができる。そして、第１分岐流路に、洗浄剤としてのうがい液を収納したタンクを連通路を介して連通連結し、第１分岐流路を流れる上水の動圧によって生じる負圧により、うがい液を上水と混合希釈してうがい用ノズルからうがい用水を噴出可能とすることができる。
【００２２】
しかも、本洗浄装置は、上記各ノズルをボウル部に配設して手洗い器の一形態として提供することができ、衛生管理の厳しい病院や食品工場などに設置することで、うがい、手洗いを一連の作業で行うことができる。なお、手洗い器としてコンパクトな構成なので、当然ながら一般家庭への普及も十分見込むことができる。
【００２３】
また、かかる手洗い器として提供される洗浄装置には、上記したうがい用ノズル、手洗い用ノズル、ボウル洗浄用ノズルの他、例えば石鹸水供給ノズル、消毒液供給ノズルなどを設けて、洗浄機能をより高めることができる。
【００２４】
かかる洗浄装置において、本発明の目的とするところは、口に含むうがい液を吐出するうがい用ノズル、またそれに連通する第１分岐流路内にうがい液が長時間滞留することを防止する目的とするものである。
【００２５】
そこで、少なくとも第１分岐流路内に滞留した液体を排出する排出手段を設けるとともに、前記連通路に電磁開閉弁を取付け、少なくとも前記排出手段が駆動するときには、前記電磁開閉弁は閉止状態であるようにしている。
【００２６】
ここで、少なくとも前記排出手段が駆動するときには、前記電磁開閉弁は閉止状態であるようにしているというのは、例えば、電磁開閉弁は通常は開状態であるが、排出手段を駆動すると閉弁する構成、もしくは通常を閉弁状態にしておき、うがい用ノズルを作動させるときのみ開弁する構成などが考えられる。
【００２７】
かかる構成とすることにより、うがい液を消費することなく、うがい用ノズル、及び第１分岐流路内の滞留水を排出することができる。
【００２８】
また、排出手段は、第２分岐流路の滞留水についても排出可能な構成とすることができる。
【００２９】
すなわち、排出手段を駆動させると、第１の吐出口であるうがい用ノズルと、その他の吐出口である手洗い用ノズル、ボウル洗浄用ノズルなどから上水が略同時に排出されるようにするもので、かかる構成とすれば、たとえ連通路に取付けた前記電磁開閉弁が故障などしても、排出手段を駆動させると、うがい用ノズルと手洗い用ノズル、ボウル洗浄用ノズルなどから液体が略同時に排出され、うがい用ノズルの吐水開口部が上向きであっても噴出スピードが低下して勢いが弱まるので、通常の使用状態ではなく、うがい液が含まれていない滞留水の排水状態であることが視覚的に分かりやすくなる。
【００３０】
排出手段としては、少なくとも電磁開閉弁を含むこととし、同電磁開閉弁とこれを制御する制御部を備える構成とすることができる。
【００３１】
電磁開閉弁であれば、その開閉動作を制御しやすく、定期的に自動駆動させたり、駆動タイミングを設定することも容易である。
【００３２】
すなわち、うがい用ノズルから先に吐出するようにしてしまうと、たとえば連通路に取付けた前記電磁開閉弁が故障していた場合には、結局のところうがい液も噴出されてしまう。したがって、少なくとも同時かあるいは手洗い用ノズルやボウル洗浄用ノズルから先に排水できるようにしなければならない。
【００３３】
また、電磁開閉弁を用いれば、手洗い用ノズルやボウル洗浄用ノズルに連通した分岐流路中に配設した電磁開閉弁から先に開駆動させたり、あるいは、両者の電磁開閉弁を同時に開駆動させたりする制御も、連通路に取付けた電磁開閉弁の開閉制御も容易となる。なお、前記連通路に設けた電磁開閉弁の開閉タイミングは、少なくとも、うがい用ノズルを使用する場合には開状態となるように制御しておくものとする。
【００３４】
かかる構成により、うがい用ノズルの使い勝手を良好に維持したままで、同うがい用ノズル及びそれに連通する流路内の滞留液を定期的に排出して不衛生になることを防止し、しかも、排出時は水勢が弱まっているので、うがい液を含まない排出状態であることを視認しやすい。したがって、衛生管理が厳しい場所に設置する手洗い器としてきわめて有用な構成とすることができるとともに、手洗い器として、一般家庭への普及も見込むことができる。
【００３５】
なお、上記した手洗い用ノズル、石鹸液ノズル、消毒液ノズルなどは、直接手で触れて開閉操作しなくて済むように、検知センサなどを付設しておき、使用者が各ノズルに手を近づければそれを感知して自動吐出する構成とすることが望ましい。
【００３６】
また、上記実施形態では、液体供給路をその中途から分岐させて第１分岐流路と第２分岐流路とを形成したものとし、複数の吐出口を具備する洗浄装置としたが、液体供給路を分岐させずに吐出口が単一のものに適用することもできる。
【００３７】
【実施例】
以下、この発明の実施例を図面に基づき具体的に説明する。なお、本実施例では、洗浄装置を手洗い器として説明する。
【００３８】
図１は本実施例に係る洗浄装置としての手洗い器の正面視による説明図、図２は同手洗い器の平面図、図３は本手洗い器における要部の模式的説明図である。
【００３９】
図１及び図２に示すように、手洗い器Ａは、後述する各種ノズルを備えるとともに、壁面Ｗに取付けらるボウル部１と、前記各種ノズルに連通連結し、ボウル部１の下方において、やはり壁面Ｗに取付けられる液体供給部２とを具備している。
【００４０】
ボウル部１は、陶器製の本体内部に椀状の流し面10を形成するとともに、平面視で長円状の同流し面10の周りには、同流し面10の上縁に連続した平面部からなる縁部11を形成し、同縁部11の壁面Ｗ側に奥壁12を立設している。10aは流し面10の中央底部に設けた排水口であり、排水管10bと連通連結している。
【００４１】
また、前記奥壁12の前方に位置する縁部11上には、吐出用開口3a,4a,5aを流し面10に向けた石鹸水供給ノズル３と、手洗い用ノズル４と、消毒液供給ノズル５とを、正面視で左側から適宜間隔をあけて配設し、手洗い用ノズル４がボウル部１の左右幅方向の略中央に位置するようにしている。そして、前記縁部11上にそれぞれ突設した前記各ノズル3,4,5の取付基部前面には、手感知センサ3s,4s,5sを取付けている。
【００４２】
また、石鹸水供給ノズル３の左側斜め前方と、消毒液供給ノズル５の右側斜め前方には、流し面10に吐出用開口6aが臨むように、それぞれ斜め下方に伸延させたボウル洗浄用ノズル6,6を配設している。
【００４３】
さらに、正面視左側のボウル洗浄用ノズル６の前方位置に、噴出用開口7aを斜め上方へ向けたうがい用ノズル７を配設し、同ノズル７の手前側には、うがい液を噴出させる押しボタンスイッチ71を配設している。
【００４４】
本実施例では、うがい用ノズル７の噴出用開口7aが請求項に記載した「吐出口」若しくは「第１の吐出口」に対応し、手洗い用ノズル４、ボウル洗浄用ノズル6,6の各吐出用開口4a,6aが請求項に記載した「その他の吐出口」に対応している。
【００４５】
一方、液体供給部２は、薬液ユニット2aと給水ユニット2bとをボウル部１の下方に並設して構成している（図１）。
【００４６】
薬液ユニット2aは、ユニットケーシング20内に、請求項に記載した「洗浄剤収納タンク」に対応するうがい液タンク21と、石鹸液タンク22と、消毒液タンク23とを交換自在に収納し、うがい液タンク21とうがい用ノズル７、石鹸液タンク22と石鹸水供給ノズル３、消毒液タンク23と消毒液供給ノズル５とを、それぞれ連通管c1,c2,c3で連通連結している。s1,s2,s3は前記各タンク21,22,23に設けた液切れセンサである。
【００４７】
また、図３に示すように、うがい液タンク21とうがい用ノズル７とを連通する連通路としての連通管c1にうがい液用電磁開閉弁Ｂを取付け、さらに、図示しないが、石鹸液タンク22と石鹸液供給ノズル３とを連通する連通管c2、及び消毒液タンク23と消毒液供給ノズル５とを連通する連通管c3にはそれぞれ電磁ポンプを接続している。
【００４８】
他方、給水ユニット2bは、ユニットケーシング25内に、上水道管26と連通連結した給水主管27を配設するとともに、同給水主管27からの給水の一部を導入して加温する温水装置28を配設している。
【００４９】
そして、前記給水主管27から第１分岐流路としての分岐管v1、分岐管v2、第２分岐流路としての分岐管v3を分岐伸延させて、うがい用ノズル７、手洗い用ノズル４、ボウル洗浄用ノズル6,6にそれぞれ連通連結している。26aは上水道管26の下流側に設けた給水元栓である。
【００５０】
また、前記各分岐管v1,v2,v3の上流側には、図３に示すように、それぞれ電磁開閉弁９を設けており、前記したうがい用電磁開閉弁Ｂとともに、後述する制御部Ｓからの開閉信号により開閉動作するようにしている。なお、図３に示した模式図では、上水道管26から分岐して、うがい用ノズル７とボウル洗浄用ノズル６へそれぞれ連通する分岐管v1,v3のみを示し、手洗い用ノズル４に連通する分岐管v2については省略している。
【００５１】
ところで、前述してきたように、うがい用ノズル７は、上水を供給する給水主管27と分岐管v1を介して連通連結するとともに、うがい液タンク21とも連通連結している。
【００５２】
本実施例では、図３に示すように、分岐管v1のうがい用ノズル７側に、従来より周知のアスピレータ72を設けるとともに、同アスピレータ72の下流側となる分岐管v1に、うがい液タンク21に基端を連通連結した連通管c1の先端を連通連結している。cvは分岐管v1と連通管c1との連結部である。
【００５３】
かかる構成により、分岐管v1に上水が導入されると、その動圧によってアスピレータ内に負圧が生じ、この負圧の作用によって、うがい液タンク21からうがい液が吸い上げられ、上水と混合希釈されて、うがい用ノズル７の噴出用開口7aから噴出されることになる。
【００５４】
そして、連通管c1に取付けた電磁開閉弁Ｂを開閉制御することで、上水にうがい液を混入したり、しないようにすることができる。
【００５５】
以上説明してきたように、本手洗い器Ａは電気的な制御の下にあり、そのために、図１に示すような操作パネル８を備えている。
【００５６】
操作パネル８は壁体Ｗに取付けられており、本手洗い器Ａの運転スイッチをはじめ、その他電気系統の運転動作をオン・オフ操作したり、運転状況を表示することができるように各種スイッチ及び表示ランプを備えている。すなわち、石鹸水供給ノズル３、手洗い用ノズル４、消毒液供給ノズル５、うがい用ノズル７を強制作動させるための各種スイッチや、温水装置28のオン・オフスイッチ、さらに、前記した液切れセンサs1,s2,s3が検出した液切れ表示ランプや使用中ノズルの表示ランプなどを設けている。
【００５７】
かかる操作パネル８は、前記給水ユニット2bのユニットケーシング25内に設けた制御部Ｓと電気的に接続し、また、制御部Ｓは、前記した手感知センサ3s,4s,5s、うがい液用の押しボタンスイッチ71、液切れセンサs1,s2,s3、温水装置28、電磁ポンプ、うがい用電磁開閉弁Ｂ、電磁開閉弁９などと電気的に接続している。
【００５８】
したがって、本手洗い器Ａでは、石鹸水供給ノズル３、手洗い用ノズル４、消毒液供給ノズル５を使用する場合には、使用者は所望するノズル(3,4,5)の前に手を差し出すと、手感知センサ(3s,4s,5s)がこれを検知して前記制御部Ｓに検出信号を送信し、検出信号を受けた制御部Ｓは、各ノズル3,4,5への連通流路の中途に設けた電磁ポンプや電磁開閉弁９などのアクチュエータを駆動して各ノズル3,4,5からそれぞれ対応する液体を吐出することができるとともに、操作パネル８を使用することで、例えば手感知センサ3s,4s,5sが故障したりしていても、操作パネル８のスイッチ操作により手を洗うことは可能となっている。
【００５９】
また、うがい液用の押しボタンスイッチ71を操作するとうがい用電磁開閉弁Ｂを開くようにしておくことで、いつでも好きなときにうがい用ノズル７からうがい液を噴出させて、うがいをすることができる。
【００６０】
また、本実施例では、うがいを終えた後、すなわち、うがい用ノズル７への分岐管v1に設けた電磁開閉弁９が作動して所定時間（例えば３秒）経過すると、ボウル洗浄用ノズル6,6への分岐管v2に設けた電磁開閉弁９を作動させて、流し面10を自動洗浄するようにしている。したがって、使用者がうがい後に吐き出したうがい液が流し面10に付着したままとなることがなく清潔である。
【００６１】
上記構成の手洗い器Ａにおいて、本実施例では、うがい用ノズル７内、及び同ノズル７に連通する分岐流路である分岐管v1内に滞留したうがい液を、定期的に自動排出できるようにして、長時間うがい液が滞留することのないようにし、使用者は液体の滞留などを気にすることなく、常時、衛生面において安心して使用できるようにし、しかも、うがい用ノズル７からの滞留液の噴流速度を略半減させて、通常の使用状態ではなく、滞留水の排出状態であることを視認しやすくしたことに特徴がある。
【００６２】
すなわち、本実施例では、滞留液を排出する排出手段として前記した制御部Ｓと電磁開閉弁９とを備えており、第１の吐出口であるうがい用ノズル７の噴出用開口7a及び同開口7aに連通する分岐流路である分岐管v1内に滞留したうがい液を電磁開閉弁９を駆動して排出させる際に、前記排出手段（制御部Ｓ、電磁開閉弁９）の作動により、うがい用ノズル７の噴出用開口7aと、その他の吐出口としてのボウル洗浄用ノズル6,6の吐出用開口6a,6aから、うがい液と水道水とをそれぞれ略同時に排出できるようにしている。
【００６３】
しかも、うがい液タンク21とうがい用ノズル７とを連通する前記連通管c1に電磁開閉弁Ｂを取付け、少なくとも前記排出手段が駆動するときには、前記電磁開閉弁Ｂは閉止状態であるようにしている。本実施例では、電磁開閉弁Ｂは、通常は開弁状態にあり、排出手段の駆動に連動して閉弁するようにしているが、通常から閉弁状態としておき、うがい用の押しボタンスイッチ71が操作されたときのみ開弁するようにしてもよい。
【００６４】
つまり、分岐管v1内に滞留したうがい液を電磁開閉弁９を駆動して排出させる際に、同分岐管v1に設けた電磁開閉弁９のみを開いてうがい用ノズル７からのみ排出するのではなく、同うがい用ノズル７と共通の液体供給路である給水主管27に連通する、ボウル洗浄用ノズル6,6と連通した分岐管v3に設けた電磁開閉弁９も、少なくとも先の電磁開閉弁９よりも遅れることなく開いて、うがい用ノズル７の上に向いている噴出用開口7aからの滞留液の噴流速度を略半減させ、水勢を弱めて（図３の実線参照）滞留液を排出させるようにし、しかもそのときに、電磁開閉弁Ｂを閉止することで、うがい液タンク21内のうがい液を無駄に流出することがないようにしている。
【００６５】
さらに、本実施例では、制御部Ｓのタイマー機能と連動し、うがい用電磁開閉弁Ｂ及び電磁開閉弁9,9を定期的に自動駆動するようにして、２４時間に一度、使用者がセットした所望する時刻に滞留した水を排出するようにしている。
【００６６】
したがって、給水主管27から分岐してうがい用ノズル７へ連通した分岐管v1の電磁開閉弁９下流に滞留した滞留水は定期的に自動排出されるので、使用者がわざわざ排出操作を行うような手間をかけることなく雑菌などの繁殖をなくすことができ、衛生環境を大きく向上させることができる。
【００６７】
しかも、このときに、うがい用電磁開閉弁Ｂを閉止しているので、うがい液を無駄に捨ててしまうこともなく、万一、うがい用電磁開閉弁Ｂが故障して開状態のままであっても、ボウル洗浄用ノズル6,6からも排水されるので、うがい用ノズル７からの噴出流の勢いは通常のうがい用に供するよりも小さくなっており、うがい液を吸い上げる力は弱く、きわめてわずかなうがい液の流出で済み、なおかつ、排出水の勢いが減じられているために、この排水が滞留水の排水であってうがい液は含まれていないことが視覚的にも分かりやすい。
【００６８】
なお、本実施例のように、うがい用ノズル７内の滞留液の排水を自動化せず、スイッチ操作などで使用者が任意のタイミングで適宜マニュアル操作するようにしてもよい。
【００６９】
また、うがい用ノズル７から滞留液を排出する際に、同ノズル７からの噴出液が、より確実にボウル部１内に落下するように、先ず、ボウル洗浄用ノズル6,6と連通した分岐管v3に設けた電磁開閉弁９から先に開成し、その後、うがい用ノズル７に連通した分岐管v1に設けた電磁開閉弁９を開成するようにして、うがい用ノズル７よりも先に、ボウル洗浄用ノズル6,6の噴出用開口6aから排出させることができる。電磁開閉弁９の差動タイミングとしては、適宜設定可能であるが、本実施例では、ボウル洗浄用ノズル6,6からの排出開始から４０秒ほど遅れて２０秒間うがい用ノズル７から排出させるようにしている。あるいは、うがい用ノズル７からの排出タイミングとしては、ボウル洗浄用ノズル6,6からの排出よりも送れて開始し、５〜２０秒程度先に停止するようにしてもよい。かかる制御を行えば、滞留しているうがい液がボウル部１の流し面10に付着しても、ボウル洗浄用ノズル6,6からの排水により、十分に洗い流すことができる。
【００７０】
また、滞留水を自動排出している間は、本手洗い器Ａは運転スイッチと温水装置28の運転スイッチとのみを受け付けるようにするとともに、停電を検知した場合は自動排出をキャンセルするようにしている。
【００７１】
すなわち、滞留水を自動排水している間は、うがいは可能であるが、手洗いなどはできない状態となる。なお、このとき、うがい用ノズル７からは通常の勢いの吐出となるので自動洗浄機能としてはキャンセルされることになるが、滞留水はうがい時に排出されるので長時間滞留水が残るといったことはないのは当然である。
【００７２】
また、本実施例では、例えば、うがい用ノズル７を使用している最中に自動排出のタイミングが訪れた場合については、うがいを終えた後に、１分間の自動排水を開始するようにしている。自動排水の開始タイミングとしては、うがい終了後３秒など、適宜設定することができる。
【００７３】
また、例えば手洗い中に自動排水の開始タイミングが訪れた場合についても同様に、手洗いを終えて所定時間経過した後に１分間の自動排水を開始するようにしている。
【００７４】
ところで、本実施例では、うがい用ノズル７からの滞留液の排出を行う際に、ボウル洗浄用ノズル6,6からの排水を連動するようにしたが、ボウル洗浄用ノズル6,6に代えて、手洗い用ノズル４を連動するようにしてもよい。すなわち、うがい用ノズル７に導水する給水主管27を共有しているノズルであれば、少なくとも、うがい用ノズル７からの滞留液の噴出速度を小さくすることができるので、通常の使用であるか、滞留水の排水であるかの視覚的な判断を行いやすい。
【００７５】
また、本実施例に係る手洗い器Ａでは、温水装置28のヒータ駆動を、所定時間自動的に停止して、数時間後に復帰させる省エネ機能をもたせている。
【００７６】
そして、このヒータ駆動停止のタイミングを、上記してきた滞留液の自動排出タイミングと合わせるようにしている。
【００７７】
すなわち、うがい用ノズル７からの滞留液の排出にしても、温水装置28のヒータ駆動停止にしても、手洗い器Ａが使用されることがないと思われる時間帯にセットすべきものであるから、両者を別個にセットするのではなく、使用者が、滞留液の自動排出時刻をセットした場合に、連動してその時刻から温水装置28のヒータ駆動をも停止させるものである。
【００７８】
なお、ヒータ駆動を停止してから所定時間経過すると、ヒータ駆動を自動復帰させるようにすることは当然である。ヒータ駆動の停止時間としては、６時間程度が妥当と考えられる。
【００７９】
また、ヒータ駆動停止中に手洗い器Ａを使用する必要が生じる場合もあるが、その場合、操作パネル８に設けた温水スイッチを操作することで強制的にヒータ駆動を復帰させるようにしておくとよい。
【００８０】
このように、本実施例に係る手洗い器Ａは、衛生性に優れており、衛生管理に厳しい病院や食品工場などに設置するに好適である。また、ボウル部１上に、各ノズル3,4,5,6,7をコンパクトに配置した構成なので、衛生性の高い手洗い器Ａとして、一般家庭への設置も十分に可能であり、その普及が見込まれる。
【００８１】
ところで、上記してきた実施例においては、滞留水を自動排出している間については、うがい液用の押しボタンスイッチ71と温水装置28の運転スイッチのみが受け付けられるようにしていたが、どうしても手洗いの必要な場合も考えられることから、他の実施例として、手洗い用ノズル４の駆動についても優先するように制御することもできる。すなわち、自動排出中に、手洗い用ノズル４の手感知センサ4sが手を検出すると、自動排水はその場でキャンセルされて、手洗い用ノズル４からの吐水が優先されるものである。
【００８２】
あるいは、手洗いの必要性及び滞留水を排出するという衛生面の重要性の両方を満たすように、滞留水を自動排水している間であっても、手洗い用ノズル４については同時に駆動可能とすることもできる。すなわち、このときは、自動排水によってうがい用ノズル７及びボウル洗浄用ノズル6,6から吐水されているが、さらに、手洗い用ノズル４からも吐水可能となる。
【００８３】
また、例えば、滞留水を自動排水している間に手洗い用ノズル４の手感知センサ4sが手を検出すると、自動排水はその場でキャンセルされて、手洗い用ノズル４からの吐水が始まるが、手洗いを終えて所定時間、例えば３秒後には、うがい用ノズル７からの滞留液を残りの時間だけ自動排水が継続して開始されるように制御することもできる。また、自動排水の残り時間ではなく、設定された１分の自動排水を再開するようにしてもよい。
【００８４】
また、本実施例では、ボウル部１上に、各ノズル3,4,5,6,7を配置した構成としたが、例えば、うがい用ノズル７のみを設けたうがい器などのように、単独のノズルを備えた洗浄装置としてもよい。
【００８５】
すなわち、先端にノズルなどの吐出口を設けた給水主管27の中途に連通管c1を介して洗浄剤収納タンクを連通連結し、給水主管27を流れる上水の動圧によって生じる負圧により、洗浄剤収納タンクから洗浄剤を液体と混合希釈して前記ノズルから洗浄剤が混入された液体を噴出可能とした洗浄装置であって、前記ノズル及び給水主管27内の滞留水を排出する排出手段を設けるとともに、前記連通管c1に電磁開閉弁Ｂを取付け、少なくとも前記排出手段が駆動するときには、前記電磁開閉弁Ｂは閉止状態であるようにしたものであれば、本発明に含まれるものである。
【００８６】
【発明の効果】
(1)請求項１記載の本発明では、先端に吐出口を設けた液体供給路の中途に連通路を介して洗浄剤収納タンクを連通連結し、液体供給路を流れる液体の動圧によって生じる負圧により、洗浄剤収納タンクから洗浄剤を液体と混合希釈して前記吐出口から洗浄剤が混入された液体を噴出可能とした洗浄装置であって、液体供給路内に滞留した液体を排出する排出手段を設けるとともに、前記連通路に電磁開閉弁を取付け、少なくとも前記排出手段が駆動するときには、前記電磁開閉弁は閉止状態であるようにしたことにより、長時間液体が滞留することなく衛生的となり、しかも、滞留水の排出時に洗浄剤までも無駄に捨てることがないので経済的である。
【００８７】
(2)請求項２記載の本発明では、上記液体供給路の中途から分岐し、先端に第１の吐出口を設けた第１分岐流路と、先端にその他の吐出口を設けた第２分岐流路とを形成するとともに、第１分岐流路の中途に連通路を介して洗浄剤収納タンクを連通連結し、排出手段は、両分岐流路内の滞留液体を排出可能とし、しかも、同排出手段を駆動すると、第１の吐出口とその他の吐出口とから略同時に液体を排出するようにしたことにより、長時間液体が滞留することなく衛生的となり、しかも、第１の吐出口からのみ排出するよりも排出の勢いが大きく減じられて、排出水がボウルから跳ねて外へ飛散したりすることがなく、また、通常の使用時に比べて水勢が大きく弱まることで、滞留水の排出状態であることを視覚的に分かりやすくすることができる。
【００８８】
(3)請求項３記載の本発明では、上記排出手段は、定期的に自動駆動することとしたので、使用者はわざわざ滞留液を排出する手間が要らず、常日頃、滞留水を意識することなく、衛生性の高い洗浄装置を利用できることになる。
【００８９】
(4)請求項４記載の本発明では、上記排出手段が駆動すると、第１の吐出口よりも先にその他の吐出口から滞留液体が排出されることとしたので、第１の吐出口からの排出される滞留液体の勢いを確実に減じることができる。
【００９０】
(5)請求項５記載の本発明では、上記排出手段は、少なくとも電磁開閉弁を含むこととしたので、電気的に制御しやすく、定期的に自動駆動させることが容易となる。
【００９１】
(6)請求項６記載の本発明では、上記第１の吐出口及びその他の吐出口は、ボウル部に配設されていることとしたので、衛生性の高い手洗い器として、衛生管理に厳しい病院や食品工場などでも、また、一般の家庭などを対象として普及させることができる。
【００９２】
(7)請求項７記載の本発明では、上記第１の吐出口として、うがい用ノズルを具備し、その他の吐出口として、手洗い用ノズル及び／又はボウル部内面を洗浄するボウル洗浄用ノズルを具備することとしたので、滞留したうがい液を排出させながら、ボウル部内の洗浄も同時に行える。特に、滞留液をうがい用ノズルから排出させるときにボウル部洗浄用ノズルから排水するようにすれば、ボウル部内面を定期的に洗浄できることになり、ボウル内面をいつも美しく清潔な状態に維持できる。
【図面の簡単な説明】
【図１】洗浄装置としての手洗い器の正面視による説明図である。
【図２】同手洗い器の平面図である。
【図３】同手洗い器の要部を示す模式的説明図である。
【符号の説明】
Ａ  手洗い器
Ｂ  うがい液用電磁開閉弁
Ｓ  制御部
v1  分岐管（第１分岐流路）
v2  分岐管
v3  分岐管（第２分岐流路）
１  ボウル部
３  石鹸液供給ノズル
４  手洗い用ノズル
５  消毒液供給ノズル
６  ボウル部洗浄用ノズル
７  うがい用ノズル
８  操作パネル
９  電磁開閉弁
10  流し面
21  うがい液タンク（洗浄剤収納タンク）
27  給水主管（液体供給路）
【図１】
0004593771.tif 000002
【図２】
0004593771.tif 000003
【図３】
0004593771.tif 000004